【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
複数の場所の実況映像をそれぞれ取得するための実況映像取得手段と、
前記各実況映像取得手段が映像を取得する対象となっている各位置又は前記各実況映像取得手段が配置されている各位置を示す対象位置座標データと、「場所その他の情報」に関する文字列などのキー・データとを、互いに対応付けて記録しておくための対象位置座標データ等記録手段と、
ユーザーの現在位置からユーザーの希望場所へ向かう経路を示す経路位置座標データを、取得するための経路位置座標データ取得手段と、
ユーザーが希望する「場所その他の情報」に関する文字列などのキー・データを、取得するためのキー・データ取得手段と、
「前記経路位置座標データ取得手段により取得された経路位置座標データと、前記キー・データ取得手段により取得されたキー・データと、前記対象位置座標データ等記録手段に記録されている対象位置座標データ及びキー・データとに基づいて（『映像を希望する場所を個別に指定するためのユーザーによる特別な入力』に基づくことなく）」、前記各実況映像取得手段により取得される複数の場所の実況映像の中から、前記の現在位置から希望場所ヘ向う前記経路の途中に存在し且つ前記キー・データに適合する複数の場所の「実況映像又はその場所もしくは実況映像の識別データ」を、略リアルタイムに抽出するための実況映像抽出手段と、
前記実況映像抽出手段による抽出により得られた複数の場所の「実況映像又は識別データ」又はこれに基づいて得られる映像の中の少なくとも一つをそれぞれ示す各情報を、オンラインで略リアルタイムに、ユーザー側に向けて送信するための実況映像等送信手段と、
前記各実況映像等を送信するに際して、「前記経路途中に存在する複数の各場所の実況映像等が、ユーザー側において、前記経路途中の例えばユーザーの現在位置に比較的近い場所の映像を或る時間だけ表示し次にそれよりも少し希望場所に近い場所の映像を或る時間だけ表示するというように、複数の場所の映像が前記経路にしたがって次々と表示されるように」、前記実況映像等送信手段による前記実況映像等の送信の仕方を制御するための送信制御手段と、
ユーザー側に備えられ、前記実況映像等送信手段により送信された情報を受信するための実況映像等受信手段と、
ユーザー側に備えられ、前記実況映像等受信手段により受信した情報に基づいて、前記経路途中に存在する複数の各場所の実況映像又はこれに基づいて得られる映像を、前記経路にしたがって次々と略リアルタイムに表示するための実況映像等表示手段と、
を備えたことを特徴とする略リアルタイム実況映像提供システム。
【請求項２】
複数の場所の実況映像をそれぞれ取得するための実況映像取得手段と、
前記各実況映像取得手段が映像を取得する対象となっている各位置又は前記各実況映像取得手段が配置されている各位置を示す対象位置座標データと、「場所その他の情報」に関する文字列などのキー・データとを、互いに対応付けて記録しておくための対象位置座標データ等記録手段と、
ユーザーの現在位置からユーザーの希望場所へ向かう経路を示す経路位置座標データを、取得するための経路位置座標データ取得手段と、
ユーザーが希望する「場所その他の情報」に関する文字列などのキー・データを、取得するためのキー・データ取得手段と、
「前記経路位置座標データ取得手段により取得された経路位置座標データと、前記キー・データ取得手段により取得されたキー・データと、前記対象位置座標データ等記録手段に記録されている対象位置座標データ及びキー・データとに基づいて（『映像を希望する場所を個別に指定するためのユーザーによる特別な入力』に基づくことなく）」、前記各実況映像取得手段により取得される複数の場所の実況映像の中から、前記の現在位置から希望場所ヘ向う前記経路の途中に存在し且つ前記キー・データに適合する複数の場所の「実況映像又はその場所もしくは実況映像の識別データ」を、略リアルタイムに抽出するための実況映像抽出手段と、
前記実況映像抽出手段による抽出により得られた複数の場所の「実況映像又は識別データ」又はこれに基づいて得られる映像の中の少なくとも一つをそれぞれ示す各情報を、オンラインで略リアルタイムに、ユーザー側に向けて送信するための実況映像等送信手段と、
前記各実況映像等を送信するに際して、「前記経路途中に存在する複数の各場所の実況映像等が、ユーザー側において、前記経路途中の例えばユーザーの現在位置に比較的近い場所の映像を或る時間だけ表示し次にそれよりも少し希望場所に近い場所の映像を或る時間だけ表示するというように、複数の場所の映像が前記経路にしたがって次々と表示されるように」、前記実況映像等送信手段による前記実況映像等の送信の仕方を制御するための送信制御手段と、
を備えたことを特徴とする略リアルタイム実況映像提供システム。
【請求項３】
ユーザーの現在位置からユーザーの希望場所へ向かう経路を示す経路位置座標データ又はこれを導くためのデータを、サーバー側に送信するための経路位置座標データ等送信手段と、
「サーバー側により、『前記経路位置座標データと、場所その他の情報に関する文字列などのキー・データと、複数の場所の実況映像をそれぞれ取得するための各実況映像取得手段が映像を取得する対象となっている各位置又は前記各実況映像取得手段が配置されている各位置を示す対象位置座標データとに基づいて（『映像を希望する場所を個別に指定するためのユーザーによる特別な入力』に基づくことなく）』、前記各実況映像取得手段により取得される複数の場所の実況映像の中から抽出された、前記の現在位置から希望場所ヘ向う前記経路の途中に存在し且つ前記キー・データに適合する複数の場所の『実況映像又はその場所もしくは実況映像の識別データ』」又はこれらの中の少なくとも一つに基づいて得られる映像をそれぞれ示す各情報を、前記サーバー側からオンラインで略リアルタイムに受信するための実況映像等受信手段と、
前記実況映像等受信手段により受信した情報に基づいて、前記の抽出された実況映像又はこれに基づいて得られる映像を、略リアルタイムに表示するための実況映像等表示手段と、
前記各実況映像等を表示するに際して、「前記経路途中に存在する複数の各場所の実況映像等が、ユーザー側において、前記経路途中の例えばユーザーの現在位置に比較的近い場所の映像を或る時間だけ表示し次にそれよりも少し希望場所に近い場所の映像を或る時間だけ表示するというように、複数の場所の映像が前記経路にしたがって次々と表示されるように」、前記実況映像等表示手段による前記実況映像等の表示の仕方を制御するための送信制御手段と、
を備えたことを特徴とする略リアルタイム実況映像提供システム。
【請求項４】
複数の場所の実況映像をそれぞれ取得するための実況映像取得手段と、
前記各実況映像取得手段が映像を取得する対象となっている各位置又は前記各実況映像取得手段が配置されている各位置を示す対象位置座標データを、記録しておくための対象位置座標データ記録手段と、
ユーザーの現在位置からユーザーの希望場所へ向かう経路を示す経路位置座標データを、取得するための経路位置座標データ取得手段と、
「前記経路位置座標データ取得手段により取得された経路位置座標データと、前記対象位置座標データ記録手段に記録されている対象位置座標データとに基づいて（『映像を希望する場所を個別に指定するためのユーザーによる特別な入力』に基づくことなく）」、前記各実況映像取得手段により取得される複数の場所の実況映像の中から、前記経路の途中に存在している複数の場所の「実況映像又はその場所もしくは実況映像の識別データ」を、略リアルタイムに抽出するための実況映像抽出手段と、
前記実況映像抽出手段による抽出により得られた複数の場所の「実況映像又は識別データ」又はこれに基づいて得られる映像の中の少なくとも一つをそれぞれ示す各情報を、オンラインで略リアルタイムに、ユーザー側に向けて送信するための実況映像等送信手段と、
前記各実況映像等を送信するに際して、「前記経路途中に存在する複数の各場所の実況映像等が、ユーザー側において、前記経路途中の例えばユーザーの現在位置に比較的近い場所の映像を或る時間だけ表示し次にそれよりも少し希望場所に近い場所の映像を或る時間だけ表示するというように、複数の場所の映像が前記経路にしたがって次々と表示されるように」、前記実況映像等送信手段による前記実況映像等の送信の仕方を制御するための送信制御手段と、
ユーザー側に備えられ、前記実況映像等送信手段により送信された情報を受信するための実況映像等受信手段と、
ユーザー側に備えられ、前記実況映像等受信手段により受信した情報に基づいて、前記経路途中に存在する複数の実況映像又はこれに基づいて得られる映像を、前記経路にしたがって次々と、略リアルタイムに表示するための実況映像等表示手段と、
を備えたことを特徴とする略リアルタイム実況映像提供システム。
【請求項５】
複数の場所の実況映像をそれぞれ取得するための実況映像取得手段と、
前記各実況映像取得手段が映像を取得する対象となっている各位置又は前記各実況映像取得手段が配置されている各位置を示す対象位置座標データを、記録しておくための対象位置座標データ記録手段と、
ユーザーの現在位置からユーザーの希望場所へ向かう経路を示す経路位置座標データを、取得するための経路位置座標データ取得手段と、
「前記経路位置座標データ取得手段により取得された経路位置座標データと、前記対象位置座標データ記録手段に記録されている対象位置座標データとに基づいて（『映像を希望する場所を個別に指定するためのユーザーによる特別な入力』に基づくことなく）」、前記各実況映像取得手段により取得される複数の場所の実況映像の中から、前記経路の途中に存在している複数の場所の「実況映像又はその場所もしくは実況映像の識別データ」を、略リアルタイムに抽出するための実況映像抽出手段と、
前記実況映像抽出手段による抽出により得られた複数の場所の「実況映像又は識別データ」又はこれに基づいて得られる映像の中の少なくとも一つをそれぞれ示す各情報を、オンラインで略リアルタイムに、ユーザー側に向けて送信するための実況映像等送信手段と、
前記各実況映像等を送信するに際して、「前記経路途中に存在する複数の各場所の実況映像等が、ユーザー側において、前記経路途中の例えばユーザーの現在位置に比較的近い場所の映像を或る時間だけ表示し次にそれよりも少し希望場所に近い場所の映像を或る時間だけ表示するというように、複数の場所の映像が前記経路にしたがって次々と表示されるように」、前記実況映像等送信手段による前記実況映像等の送信の仕方を制御するための送信制御手段と、
を備えたことを特徴とする略リアルタイム実況映像提供システム。
【請求項６】
複数の場所の実況映像をそれぞれ取得するための実況映像取得手段と、
前記各実況映像取得手段が映像を取得する対象となっている各位置又は前記各実況映像取得手段が配置されている各位置を示す対象位置座標データを、記録しておくための対象位置座標データ記録手段と、
ユーザーの現在位置からユーザーの希望場所へ向かう経路を示す経路位置座標データ又はこれを導くためのデータを、サーバー側に送信するための経路位置座標データ等送信手段と、
「サーバー側により、『前記経路位置座標データ等送信手段からの送信により得られた経路位置座標データと、前記対象位置座標データ記録手段に記録されている対象位置座標データとに基づいて（『映像を希望する場所を個別に指定するためのユーザーによる特別な入力』に基づくことなく）』、前記各実況映像取得手段により取得される複数の場所の実況映像の中から抽出された、前記経路の途中に存在している一つ又は複数の場所の「実況映像又はその場所もしくは実況映像の識別データ」又はこれらの中の少なくとも一つに基づいて得られる映像をそれぞれ示す各情報を、前記サーバー側からオンラインで略リアルタイムに受信するための実況映像等受信手段と、
前記実況映像等受信手段により受信した情報に基づいて、前記の抽出された実況映像又はこれに基づいて得られる映像を、略リアルタイムに表示するための実況映像等表示手段と、
前記各実況映像等を表示するに際して、「前記経路途中に存在する複数の各場所の実況映像等が、ユーザー側において、前記経路途中の例えばユーザーの現在位置に比較的近い場所の映像を或る時間だけ表示し次にそれよりも少し希望場所に近い場所の映像を或る時間だけ表示するというように、複数の場所の映像が前記経路にしたがって次々と表示されるように」、前記実況映像等表示手段による前記実況映像等の表示の仕方を制御するための表示制御手段と、
を備えたことを特徴とする略リアルタイム実況映像提供システム。
【手続補正２】
【補正対象書類名】明細書
【補正対象項目名】発明の名称
【補正方法】変更
【補正の内容】
【発明の名称】略リアルタイム実況映像提供システム
【手続補正３】
【補正対象書類名】明細書
【補正対象項目名】０００３
【補正方法】変更
【補正の内容】
【０００３】
しかしながら、前記の記録媒体に記録された映像は、「過去のもの」である（「生のもの」ではない）。そのため、実際の景色などは、季節の移り変わり、その日の天候、道路や建物の工事状況などにより、日々刻々変遷していくものであるのに、ユーザーが見ることができるのは「古い（新鮮でない）」ものでしかないという問題がある。また、仮にその記録媒体に記録された映像が更新直後のものだとしても、「今現在のこの瞬間のリアルタイムの状況を見たい」というユーザーの希望に応えることはできない。さらに、記録媒体への映像データの更新を頻繁に行うことは非常にコストがかかってしまうという問題もある。
本発明はこのような従来技術の問題点に着目してなされたもので、ユーザーの現在の場所から希望する場所への経路の途中に存在し且つ現在地から遠隔にある遠隔の場所の実況映像をユーザー側で略リアルタイムに表示することができるシステムを提供することを目的とする。
【手続補正４】
【補正対象書類名】明細書
【補正対象項目名】０００４
【補正方法】変更
【補正の内容】
【０００４】
本発明は、本願の特許請求の範囲に記載されたとおりのものである。
【手続補正５】
【補正対象書類名】明細書
【補正対象項目名】０００５
【補正方法】変更
【補正の内容】
【０００５】
第１  本願の特許請求の範囲に記載された発明ではないが本明細書の中で開示している実況映像を利用した現在位置確認システム（以下「本システム」という）は、次のようなものである（実施例としては、例えば、段落番号００１７，００１８などの説明を参照）。
本システムは、地図上の複数の地点に対応する実際の地点にそれぞれ設けられ、その地点の周辺の実況映像をリアルタイムに入力する映像入力手段であって、それぞれがネットワークに接続されている映像入力手段と、ユーザーの現在位置を推測する現在位置推測手段と、この現在位置推測手段により得られた推測現在位置に対応する地図上の地点を求める手段と、この地図上の地点を求める手段により求められた地点に対応する実際の地点に設けられた前記映像入力手段からの実況映像をネットワークを介して取り込む取り込み手段と、この取込まれた実況映像を表示する表示手段と、を備えたことを特徴とする実況映像を利用した現在位置確認システムである。
また、本システムは、公衆への開示が可能な多数の実況地点の実況映像をそれぞれリアルタイムに常時入力するために各実況地点にそれぞれ設けられた映像入力手段と、前記各実況映像を互いに識別するための実況映像識別データ（緯度データ及び経度データの座標データなどから成る）を記録する実況映像識別データ記録手段と、ユーザーの現在位置を特定する現在位置特定手段（従来より公知のＧＰＳ受信機など）と、この現在位置特定手段により特定されたユーザーの現在位置（緯度データ及び経度データの座標データなどから成る）に基づいて、その現在位置に近い一つ又は複数の実況地点に対応又は関連する一つ又は複数の実況映像識別データを選択する実況映像識別データ選択手段と、この選択された実況映像識別データに基づいて、対応する実況映像をオンラインで取り込む（ネットワークを介してアクセスして閲覧する場合と送信させる場合などを含む）映像取り込み手段と、この映像取り込み手段により取り込まれた実況映像（動画又は静止画）をリアルタイムに表示する表示手段と、からなるものである。
また、本システムでは、前記映像入力手段は、前記各実況地点から複数の方向に向かって見える映像をそれぞれ撮像するものであり、前記各実況映像を互いに識別するための実況映像識別データは、前記映像入力手段が設けられた各実況地点の位置を示す位置データとその映像入力手段が撮影する方向を示す方向データと、から構成されており、前記現在位置特定手段は、ユーザーの現在位置を特定する手段とユーザーの進行方向を特定する手段とを含んでおり、前記実況映像識別データ選択手段は、前記現在位置特定手段により特定さたれユーザーの現在位置を示すデータ（緯度データ及び経度データから成る位置座標データなど）及び進行方向を示すデータ（東西南北など）に基づいて、ユーザーの現在位置からユーザーの進行する方向に位置し且つユーザーの現在地点に近い位置にある実況地点の実況映像であってしかもユーザーの進行方向に近い方向を写す実況映像（動画又は静止画）を特定するための実況映像地点識別データを選択するものである。
第２  本システムでは、ユーザーの推測現在位置をＧＰＳ受信機などの現在位置推測手段（現在位置特定手段と呼ぶこともある）により求め、この「求められた推測現在位置に対応する実況地点の実況映像」をオンラインで取り出して表示するようにしている。
したがって、ユーザーは、例えば、次のような使い方が可能になる。例えば、自分が車両などに乗って移動しているとき、ＧＰＳ受信機からのデータにより自分の「推測現在位置」を求めて、その「推測現在位置に対応する地図上の地点」を地図画面上で求めて見る（このためのシステムは、従来より、自動車用の目的地までのルートの地図探索・運転案内システムとして実用化されている）。また、同時に、ユーザーは、通信ネットワークを介して該当する映像入力手段にアクセスし、前記の「推測現在位置に対応する地図上の地点」に対応する実況映像を、オンラインで取り出して画面上に表示させて見る。これにより、ユーザーは、目的地へのルートを記載した地図を見ながら、地図上に表示されている推測現在位置（ＧＰＳ受信機により計測されるユーザーの推測現在位置が画面の地図上に矢印などで表示されるシステムは、自動車の運転案内システムとして既に多数市販されている）と実況映像とが一致しているかどうかを確認し、一致していれば、ＧＰＳ受信機のデータから得られた「推測現在位置」が計測誤差なく正しいことを確認できる。また一致していなければ、ＧＰＳ受信機のデータから得られた「推測現在位置」が間違っていることが分かる。
すなわち、ユーザーがＧＰＳ受信機からの推測現在位置に基づいて地図データベースから推測現在位置を含む所定領域の地図を読み出して表示し、その表示された地図の上の「推測現在位置に近い一つ又は複数の実況地点の実況映像」をオンラインで取り出すようにすれば、ＧＰＳ受信機からの「推測現在位置」が正しいかどうかをユーザー自身が確認できる。すなわち、従来より存在しているＧＰＳ受信機を利用して、ＧＰＳ受信機からの「推測現在位置」（緯度データと経度データの座標データ）に基づいて地図データベースから推測現在位置を含む所定領域の地図を読み出して表示し、その表示された地図上に表示された「推測現在位置（座標データ）又はそれと近い地点の実況映像」をオンラインで取り出すようにすれば、ＧＰＳ受信機からの「推測現在位置」が計測誤差などが無く正しいものかどうかを、確認することができる。つまり、「表示された実況映像」が「ユーザーの現在の位置から実際に見えるもの」と一致していれば、ＧＰＳ受信機からの[推測現在位置]は正しいものと判定できる（従来は、ユーザーは、地図だけでは、ＧＰＳ受信機による現在位置が正しいかどうかを自分で確かめることが困難だった）。
また、本システムでは、前記映像入力手段は、前記各実況地点から複数の方向に向かって見える映像を撮像するものであり、前記各実況地点を互いに識別するための実況地点識別データは、前記映像入力手段が設けられた各実況地点の位置を示す位置データとその映像入力手段が撮影する方向を示す方向データとから構成されており、前記現在位置特定（推測）手段は、ユーザーの現在位置を特定（推測）する手段とユーザーの進行方向を特定する手段とを含んでおり、前記実況地点識別データ選択手段は、前記現在位置特定（推測）手段により特定（推測）さたれユーザーの推測現在位置（緯度データ及び経度データによる座標データなど）及びユーザーの進行方向（東西南北など）に基づいて、ユーザーの「推測現在位置に（最も）近い実況地点」を示し且つユーザーの進行方向に（最も）近い方向の実況地点識別データを選択するものである。よって、車両などで移動中のユーザーは、画面に表示された「地図上の自分の推測現在位置（ＧＰＳ受信機からの自分の推測現在位置が矢印などで表示される）」を見ながら、同時に、前記ＧＰＳ受信機からの「推測現在位置に対応する地図上の地点を示す実況映像」を見ることができ、「推測現在位置に対応する地図上の地点を示す実況映像」と「自分の位置から実際に見える風景」とを照らし合わせて、ＧＰＳにより計測された「推測現在位置」が本当に正しいかどうかを確認することができる。
【手続補正６】
【補正対象書類名】明細書
【補正対象項目名】０００６
【補正方法】変更
【補正の内容】
【０００６】
また、本願の特許請求の範囲には記載されていないが本明細書の中で開示されている発明（以下、この段落の中では「実況映像提供システム」という）としては、次のものが存在する。
(1)実況映像提供システムは、公衆への開示が可能な多数の実況地点の実況映像をそれぞれリアルタイムに常時入力するために各実況地点に設けられた映像入力手段と、前記各実況地点の実況映像を互いに識別するための実況映像識別データを、地図データベースの地図上の各地点とそれぞれ関連・対応付けながら、記録する実況映像識別データベース手段と、前記地図データベースの地図上で指定された地点に基づいて、前記実況映像識別データベース手段から、対応する一つ又は複数の実況映像識別データを検索する検索手段と、この検索手段により検索された実況映像識別データに基づいて、対応する実況映像をリアルタイムに無線又は有線で取り込む（ネットワークで送信させること又はインターネット用ブラウジング・ソフトウェアでアクセスして閲覧することなどの方法により取り込む）映像取り込み手段と、この映像取り込み手段により取り込まれた実況映像（動画又は静止画）を出力する表示手段と、からなるものである。
(2)また、実況映像提供システムは、公衆への開示が可能な多数の実況地点の実況映像をそれぞれリアルタイムに常時入力するために各実況地点に設けられた映像入力手段と、地図とその地図上の各地点を特定するための座標データとを記録する地図データベースと、前記地図データベースの中の座標データと、前記各実況映像を互いに識別するための実況映像識別データとを、互いに関連又は対応付けながら、記録する実況映像識別データベース手段と、ある実況映像を表示している場合に、その実況映像を互いに識別する実況映像識別データをキーとして、前記実況映像識別データベースから、その実況映像の実況地点に対応又は関連する一つ又は複数の地図上の地点を検索する検索手段と、この検索手段により検索された地図上の地点を含む所定領域の地図を示す地図データを抽出する地図データ抽出手段と、この地図データ抽出手段により抽出された地図データにより地図を出力する表示手段と、からなるものである。
(3)また、実況映像提供システムは、公衆への開示が可能な多数の実況地点の実況映像をそれぞれリアルタイムに常時入力するために各実況地点に設けられた映像入力手段と、前記各実況映像を互いに識別するための実況映像識別データを、文字列・記号列・図形又は映像などから成るキーと関連付けながら、記録する実況映像識別データベース手段と、前記の文字列・記号列・図形又は映像などから成るキーを入力するキー入力手段と、このキー入力手段から入力されたキーに基づいて、前記実況映像識別データベース手段から、関連する一つ又は複数の実況映像識別データを検索する検索手段と、この検索手段により検索された実況映像識別データに基づいて、対応する実況映像を取り込む（ネットワークより送信させるとインターネット用ブラウザーにより閲覧する場合などを含む）映像取り込み手段と、この映像取り込み手段により取り込まれた実況映像（動画又は静止画）を出力する表示手段と、からなるものである。
(4)なお、実況映像提供システムにおいて、前記映像入力手段は一つの実況地点から複数の方向の映像を撮像するものであり（例えば、一つのビデオカメラを旋回してある複数の方向に来たときに撮像する場合や、複数のビデオカメラを複数の方向にそれぞれ備え付けて同時に撮像する場合など）、前記各実況映像を特定するための実況映像識別データは、前記映像入力手段が設けられた各実況地点の位置を示す位置データとその映像入力手段が撮影する方向を示す方向データとから構成されていることが望ましい。
(5)また、実況映像提供システムでは、前記表示手段に表示された実況映像（動画又は静止画）の中のユーザーが指定した部分に対して他の部分と区別するためのマーキングをするためのマーキング手段を備えるのがよい。
(6)また、実況映像提供システムにおいて、前記映像入力手段は、その地点において発生している音声をリアルタイムに入力する手段をも備えているのがよい。
(7)また実況映像提供システムでは、さらに、前記映像入力手段の近傍に備えられ、匂いセンサと、この匂いセンサからの信号を匂いデジタルデータに変換する手段とから構成され、前映像入力手段の設置された地点又はその周辺の匂いを入力するための匂い入力手段と、この匂い入力手段からの匂いデータを、その匂いに近似した匂いを発生させるための芳香剤調合データに変換する変換手段と、前記表示手段の近傍に備えられ、前記芳香剤調合データから芳香剤を調合して所望の匂いを発生させる匂い発生手段と、を含むのがよい。なお、この(8)において、前記の「その匂いに近似した匂いを発生させるための芳香剤調合データに変換する変換手段」は、前記匂い入力手段と直接に接続され、この変換手段がコンピュータ通信ネットワークを介して前記匂い発生手段に接続されていてもよいし、あるいは、前記入力入力手段とコンピュータ通信ネットワークを介して接続され、この変換手段が直接に前記匂い発生手段に接続されていてもよい。
【手続補正７】
【補正対象書類名】明細書
【補正対象項目名】０００７
【補正方法】変更
【補正の内容】
【０００７】
本発明によれば、ユーザーの現在の場所から希望する場所への経路途中に存在する遠隔の場所の実況映像をユーザー側で略リアルタイムに表示することを可能にしたので、ユーザーは前記経路途中に存在している遠隔の場所や其処での出来事に関する実際の雰囲気や状況（例えば遠隔地にある飲食店の店内の雰囲気や来店客の混雑状況など）を略リアルタイムに感得することができる、という効果が得られる。